(57)【要約】【課題】  操作パネルの操作の利便性を高めることができる画像処理装置を提供する。【解決手段】  指や専用のペンで画面に触れることで操作を行うことができる操作パネル６を備えた画像処理装置であって、操作パネル６上で描かれた軌跡を特定の軌跡と判断し、その特定の軌跡に対応した動作を実施する制御を司る中央制御手段１を備えた。【選択図】        図２
2006215915.tif 000002
【特許請求の範囲】
【請求項１】
指や専用のペンで画面に触れることで操作を行う操作パネルを備えた画像処理装置であって、前記操作パネル上で描かれた軌跡を特定の軌跡と判断し、その特定の軌跡に対応した動作を実施するように制御する中央制御手段を備えたことを特徴とする画像処理装置。
【請求項２】
請求項１に記載の画像処理装置において、前記中央制御手段は、前記操作パネル上に操作のボタンの表示された操作画面が表示されており、前記操作パネル上で描かれた軌跡を特定の軌跡と判断できない場合、前記描かれた軌跡とボタン座標入力位置と一致するか否かを判断し、一致した場合、前記ボタン操作の動作を実施するように制御することを特徴とする画像処理装置。
【請求項３】
請求項２に記載の画像処理装置において、前記操作パネルから特定の軌跡に対応した動作を任意に入力すると、前記中央制御手段は、両者を関連付けて記憶装置に登録するように制御することを特徴とする画像処理装置。
【請求項４】
指や専用のペンで画面に触れることで操作を行う操作パネルを備えた画像処理装置の制御方法であって、前記操作パネル上で描かれた軌跡を特定の軌跡と判断したとき、その特定の軌跡に対応した画像処理動作を実施することを特徴とする画像処理装置の制御方法。
【請求項５】
請求項４に記載の画像処理装置の制御方法において、前記操作パネル上に操作のボタンが表示される操作画面が表示されており、前記操作パネル上で描かれた軌跡を特定の軌跡と判断できない場合、前記描かれた軌跡とボタン座標入力位置と一致するか判断し、一致した場合、ボタン操作の動作を実施することを特徴とする画像処理装置の制御方法。
【請求項６】
請求項５に記載の画像処理装置の制御方法において、前記操作パネルから特定の軌跡に対応した動作を任意に入力すると、両者を関連付けて記憶装置に登録することを特徴とする画像処理装置の制御方法。
【発明の詳細な説明】
【技術分野】
【０００１】
本発明は、画像処理装置及び画像処理装置の制御方法に関し、特に、指や専用のペンで画面に触れることで操作を行うことができる操作パネルを備えた画像処理装置における指示入力技術に関するものである。
【背景技術】
【０００２】
従来、映像表示システムに関しては、例えば特許文献１に示すように、複数の表示装置にベース装置から映像信号を供給するに当たり、ユーザーが指で画面をなぞる操作により、映像機器間で映像の授受を行うことを可能にし、従来のリモコンのようなボタン操作とは異なり、感覚的に切替えを行うことができるようにする、という特徴を持つものがあった。
【特許文献１】特開２００３−３３３３５９公報
【発明の開示】
【発明が解決しようとする課題】
【０００３】
しかしながら、上記従来技術の場合、ベース装置と表示装置からなるブロードキャスト目的の映像表示システムに関してしか捉えておらず、双方向通信や画像蓄積、画像生成能力を持った画像処理装置に関しては考慮されていなかった。また、従来、身体障害者や老人にとって、画像処理装置の操作パネル上にあった小さなボタンの操作は困難であった。
本発明は、操作パネルの操作の利便性を高めることができる画像処理装置及び画像処理装置の制御方法を提供することを目的とする。
【課題を解決するための手段】
【０００４】
上記目的を達成するために、請求項１記載の発明は、指や専用のペンで画面に触れることで操作を行う操作パネルを備えた画像処理装置であって、操作パネル上で描かれた軌跡を特定の軌跡と判断し、その特定の軌跡に対応した動作を実施するように制御する中央制御手段を備えた画像処理装置を最も主要な特徴とする。
請求項２記載の発明は、請求項１に記載の画像処理装置において、前記中央制御手段は、前記操作パネル上に操作のボタンの表示された操作画面が表示されており、前記操作パネル上で描かれた軌跡を特定の軌跡と判断できない場合、前記描かれた軌跡とボタン座標入力位置と一致するか否かを判断し、一致した場合、前記ボタン操作の動作を実施するように制御する画像処理装置を主要な特徴とする。
請求項３記載の発明は、請求項２に記載の画像処理装置において、前記操作パネルから特定の軌跡に対応した動作を任意に入力すると、前記中央制御手段は、両者を関連付けて記憶装置に登録するように制御する画像処理装置を主要な特徴とする。
請求項４記載の発明は、指や専用のペンで画面に触れることで操作を行う操作パネルを備えた画像処理装置の制御方法であって、前記操作パネル上で描かれた軌跡を特定の軌跡と判断したとき、その特定の軌跡に対応した画像処理動作を実施する画像処理装置の制御方法を最も主要な特徴とする。
請求項５記載の発明は、請求項４に記載の画像処理装置の制御方法において、前記操作パネル上にボタンが表示される操作画面が表示されており、前記操作パネル上で描かれた軌跡を特定の軌跡と判断できない場合、前記描かれた軌跡とボタン座標入力位置と一致するか判断し、一致した場合、ボタン操作の動作を実施する画像処理装置の制御方法を主要な特徴とする。
請求項６記載の発明は、請求項５に記載の画像処理装置の制御方法において、前記操作パネルから特定の軌跡に対応した動作を任意に入力すると、両者を関連付けて記憶装置に登録する画像処理装置の制御方法を主要な特徴とする。
【発明の効果】
【０００５】
本発明は、指や専用のペンで画面に触れることで操作を行うことができる操作パネルを備えた画像処理装置であって、操作パネル上で描かれた軌跡を特定の軌跡と判断したとき、その特定の軌跡に対応した動作を実施する制御を司る中央制御手段を備えたことで、操作パネルの操作の利便性を高めることができる。
【発明を実施するための最良の形態】
【０００６】
以下、本発明の実施形態を図面に従って説明する。
図１は、本発明の実施形態に係る画像処理装置のハードウェア構成図である。ＣＰＵ１は装置全体の制御を司るものであり、その制御下にＲＯＭ２、ＲＡＭ３、ＮＶＲＡＭ４、パネル制御部５と操作パネル６、エンジン制御部７とスキャン／プリントエンジン８、ディスクドライバ９と記憶装置１０、モデム１１、外部Ｉ／Ｆ１２、通信制御部１３がデータバス１４を介して接続されている。
ＲＯＭ２は、プログラムコード、フォント、及びその他の静的なデータが格納されている。ＲＡＭ３は、一時的な記憶場所として利用される。ＮＶＲＡＭ４には、不揮発性のデータを格納しておく。パネル制御部５と操作パネル６は、ユーザーとのインターフェースを司る。
エンジン制御部７とスキャン／プリントエンジンは８、イメージデータの入出力ユニットとして、紙原稿の読み取りと転写紙への印刷を実行する。ディスクドライバ９と記憶装置１０は、大量のイメージデータなどを蓄積したり、データベースの記憶場所として利用される。モデム１１は、公衆回線と接続され、外部の機器との通信を可能とする。
外部Ｉ／Ｆ１２は、セントロニクスやＲＳ−２３２Ｃ等のインターフェースを用いて外部との機器、例えばホストとの通信を可能とする。通信制御部１３は、イーサネット（登録商標）等のネットワークに接続され、外部の機器との通信を可能とする。データバス１４は、各種デバイス間及びＣＰＵ１とデバイス間の通信を可能とする。
【０００７】
本発明の画像処理装置の基本動作について説明する。
図２は本発明の画像処理装置における基本動作を示すフローチャートである。
まず、操作パネル６に対し、ユーザーは目的とする動作（各種機能の実行・中止、各種設定画面の呼び出し、画面を進める・戻す、など）を呼び起こすために、画面上を指または専用のペンで触れる。これにより装置はパネル入力の開始を認識する（Ｓ１）。
ユーザーはそこからある特定の軌跡を描くように画面上をなぞる。これは一般的にジェスチャーと呼ばれる行為である。ＣＰＵ１はユーザーがなぞった軌跡を追跡しており、移動距離・移動方向の確認を常に行っている（Ｓ２、Ｓ３）。そこでＣＰＵ１が、ユーザーのジェスチャーをある特定の軌跡と一致すると判断し、ジェスチャーを認識したならば（Ｓ４でＹ）、そのジェスチャー種類をＲＡＭ３に記憶しておく（Ｓ５）。
これら一連の認識処理はユーザーが操作パネル６上をなぞることを止めるまで行い、一度の行為で複数の軌跡を認識することも可能にしている。ユーザーによるパネル入力が終了すると（Ｓ６でＹ）、ＣＰＵ１はここまでのジェスチャーの認識状況として、ＲＡＭ３に記憶されたジェスチャー種類を読み出し、記憶されたジェスチャー種類があれば（Ｓ７でＹ）、その種類に対する動作の実施を行い（Ｓ８）、記憶されたものがなければ（Ｓ７でＮ）何もせずにフローチャートを終了し次の入力待ちに入る。
【０００８】
図３は、本発明の画像処理装置における通常操作画面（ボタン等）が表示されている場合のジェスチャー認識動作を示すフローチャートである。
まず、図２のフローチャートとＳ１〜Ｓ８までは同じ処理を行う。異なる点は、ジェスチャー記憶が無かった場合であるので以下に説明する。
ジェスチャー記憶が無かった場合（Ｓ７でＮ）、通常のボタンへのタッチが考えられるので、ＣＰＵ１は移動距離・移動方向の情報から操作パネル６上のボタンの座標と入力位置が一致しているかどうかを確認し（Ｓ９）、一致していればそのボタンに沿った動作を実行して（Ｓ１０）フローチャートを終了し、次の入力待ちに入る。
この制御例の場合、特定の軌跡のジェスチャー操作以外にボタン入力による通常の操作も支障なく行うことができる。
図４は、本発明の画像処理装置におけるジェスチャー登録時の動作を示すフローチャートである。
まず、ユーザーはこれから登録したい動作を操作パネル６から選択し（Ｓ１）、次に、それに関連付けたいジェスチャーを入力するフローへと移る。ジェスチャー入力（Ｓ２〜Ｓ７）に関しては図２、図３のＳ１〜Ｓ６と共通であるので説明を省略する。ジェスチャー入力が終了すると（Ｓ７でＹ）、ＣＰＵ１は最初に選択された動作とこのジェスチャーを関連付けてＮＶＲＡＭ４に登録する（Ｓ８、Ｓ９）。
この制御例の場合、特定の軌跡とその操作内容を任意に組み合わせることができるので、利便性が向上する。
【図面の簡単な説明】
【０００９】
【図１】本発明に係る画像処理装置の実施形態のハードウェア構成図。
【図２】図１に示した画像処理装置の実施形態における基本動作を示すフローチャート。
【図３】図１に示した画像処理装置の実施形態における通常操作画面（ボタン等）が表示されている場合のジェスチャー認識動作を示すフローチャート。
【図４】図１に示した画像処理装置の実施形態におけるジェスチャー登録時の動作を示すフローチャート。
【符号の説明】
【００１０】
１  ＣＰＵ、２  ＲＯＭ、３  ＲＡＭ、４  ＮＶＲＡＭ、５  パネル制御部、６  操作パネル、７  エンジン制御部、８  スキャン／プリントエンジン、９  ディスクドライバ、１０  記憶装置、１１  モデム、１３  通信制御部、１４  データバス
【図１】
2006215915.tif 000003
【図２】
2006215915.tif 000004
【図３】
2006215915.tif 000005
【図４】
2006215915.tif 000006